(57)【要約】【課題】車速表示範囲の最高速度を意味がある速度表示にすることによって、ユーザに情報を提示する車両用計器を提供する。【解決手段】車両用計器は、表示部、車両情報取得部、表示制御部、およびアナログメータ動作制御部を備える。表示部は、アナログメータを表示する。車両情報取得部は、車両が停車しているか否かを示す情報を含む車両情報を取得する。表示制御部は、車両情報が停車していないことを示すときに第１の最高速度までをアナログメータの車速表示範囲とした画像を表示部に表示し、車両情報が停車していることを示すときに当該第１の最高速度とは異なる第２の最高速度までをアナログメータの車速表示範囲とした画像を表示部に表示する。アナログメータ動作制御部は、車速に応じて、アナログメータの指針を回転させる。【選択図】図６
2008241275.tif 000002
【特許請求の範囲】
【請求項１】
車両の車速を示すアナログメータを表示する車両用計器であって、
前記アナログメータを表示する表示部と、
車両が停車しているか否かを示す情報を含む車両情報を取得する車両情報取得部と、
前記車両情報が停車していないことを示すときに第１の最高速度までを前記アナログメータの車速表示範囲とした画像を前記表示部に表示し、前記車両情報が停車していることを示すときに当該第１の最高速度とは異なる第２の最高速度までを前記アナログメータの車速表示範囲とした画像を前記表示部に表示する表示制御部と、
車速に応じて、前記アナログメータの指針を回転させるアナログメータ動作制御部とを備える、車両用計器。
【請求項２】
前記第１の最高速度は、車両の使用環境に応じて走行使用される車速範囲に基づいて設定され、
前記第２の最高速度は、車両の走行能力に基づいて走行可能な最高車速に設定される、請求項１に記載の車両用計器。
【請求項３】
前記第１の最高速度は、車両の使用環境に応じて走行使用される車速範囲に基づいて設定され、
前記第２の最高速度は、入力装置への操作に応じてユーザ設定される、請求項１に記載の車両用計器。
【請求項４】
前記車両情報取得部が取得する車両情報は、少なくとも車両の現在位置を示す情報を含み、
前記第１の最高速度は、車両の使用環境に応じて走行使用される車速範囲に基づいて設定され、
前記第２の最高速度は、車両の現在位置上の道路または車両の現在位置を含む地域に設定された制限速度に設定される、請求項１に記載の車両用計器。
【請求項５】
前記表示部は、少なくとも前記車速表示範囲を表示する表示画面領域が無電力状態で表示内容を保持可能な表示媒体で構成される、請求項１に記載の車両用計器。
【請求項６】
前記表示制御部は、車両のイグニッションスイッチがオン状態であることを前記車両情報が示すときに前記第１の最高速度までを前記車速表示範囲とした画像を前記表示媒体で構成される領域に表示し、当該イグニッションスイッチがオンからオフ状態となったことを前記車両情報が示すときに前記第２の最高速度までを前記車速表示範囲とした画像を前記表示媒体で構成される領域に表示する、請求項５に記載の車両用計器。
【請求項７】
前記車両情報取得部が取得する車両情報は、車両の車速を示す車速情報、車両のパーキングブレーキの状態を示すパーキングブレーキ情報、車両の変速装置のシフト位置を示す変速シフト位置情報、および車両のイグニッションスイッチの状態を示すイグニッションスイッチ情報から成る群から選ばれる少なくとも１つを含み、
前記表示制御部は、車両の車速が０であることを前記車速情報が示すとき、車両のパーキングブレーキが働いていることを前記パーキングブレーキ情報が示すとき、シフトレンジ位置がパーキングレンジであることを前記変速シフト位置情報が示すとき、またはイグニッションスイッチがオフされたことを前記イグニッションスイッチ情報が示すとき、当該車両が停車していると判断する、請求項１に記載の車両用計器。
【発明の詳細な説明】
【技術分野】
【０００１】
本発明は、車両用計器に関し、より特定的には、車両に搭載されて当該車両の車速を表示する車両用計器に関する。
【背景技術】
【０００２】
従来、車両の運転者から視認可能なインジケータパネル内に設けられた車両用計器によって、当該車両の車速が運転者に報知される。この車両用計器には、現在速度を示す目盛を指針が指し示すことによって車速を報知するアナログメータと、現在車速を数値で報知するデジタルメータとがある。
【０００３】
上記アナログメータの指針で指し示される目盛が表示する車速範囲（以下、車速表示範囲と記載する）は、一般的に車両が使用される環境を考慮して走行使用される車速範囲に設定される。例えば、日本国内を走行する車両においては、国内法規等の使用環境を考慮して、上記車速表示範囲の最高速度の値が時速１８０キロメートル（以下、ｋｍ／ｈと記載する）に固定的に設定されて表示される。
【０００４】
一方、車両の現在車速に応じて、アナログメータで表示される車速表示範囲が切り替えられて変化する速度表示装置も開示されている（例えば、特許文献１参照）。上記特許文献１で開示された速度表示装置は、現在の車速に応じた速度域を表示部に表示している。例えば、上記速度表示装置は、０〜６０ｋｍ／ｈの速度域を車速表示範囲として表示する低速表示モードと、６０〜１８０ｋｍ／ｈの速度域を車速表示範囲として表示する高速表示モードとを有している。そして、車速が設定速度（実施例では６０ｋｍ／ｈ）未満の場合に低速表示モードで車速表示範囲を表示し、当該設定速度以上の場合に高速表示モードで車速表示範囲を表示している。
【特許文献１】特開２００５−３０８４７７号公報
【発明の開示】
【発明が解決しようとする課題】
【０００５】
ここで、車両に搭載されるアナログメータの最高速度表示は、車両の性能を表現する側面を持っており、車両の性能面から走行可能な最高速度は使用環境を考慮して走行使用される最高速度とは異なるものである。しかしながら、上述した従来の車速表示範囲の最高速度の値が固定的に設定されて表示されるアナログメータは、実際の車両能力によって走行可能な最高速度を表示するものではない。また、上記特許文献１で開示された速度表示装置においても、実際の車両能力によって走行可能な最高速度を車速表示範囲として表示するものではない。
【０００６】
したがって、ユーザは、何れの計器が搭載された車両に乗車して運転したとしても、当該計器を見て当該車両の走行能力を実感することができない。また、走行能力の優れた車両のユーザであっても、当該車両で実際に走行可能な最高速度を他の乗員にアピールすることができない。さらに、ユーザは、従来の計器に表示されている車速表示範囲の最高速度を注目することがないため、ユーザにとって特に意味のない最高速度表示となっている。
【０００７】
それ故に、本発明の目的は、車速表示範囲の最高速度を意味がある速度表示にすることによって、ユーザに情報を提示する車両用計器を提供することである。
【課題を解決するための手段】
【０００８】
上記のような目的を達成するために、本発明は、以下に示すような特徴を有している。
第１の発明は、車両の車速を示すアナログメータを表示する車両用計器である。車両用計器は、表示部、車両情報取得部、表示制御部、およびアナログメータ動作制御部を備える。表示部は、アナログメータを表示する。車両情報取得部は、車両が停車しているか否かを示す情報を含む車両情報を取得する。表示制御部は、車両情報が停車していないことを示すときに第１の最高速度までをアナログメータの車速表示範囲とした画像を表示部に表示し、車両情報が停車していることを示すときに当該第１の最高速度とは異なる第２の最高速度までをアナログメータの車速表示範囲とした画像を表示部に表示する。アナログメータ動作制御部は、車速に応じて、アナログメータの指針を回転させる。
【０００９】
第２の発明は、上記第１の発明において、第１の最高速度は、車両の使用環境に応じて走行使用される車速範囲に基づいて設定される。第２の最高速度は、車両の走行能力に基づいて走行可能な最高車速に設定される。
【００１０】
第３の発明は、上記第１の発明において、第１の最高速度は、車両の使用環境に応じて走行使用される車速範囲に基づいて設定される。第２の最高速度は、入力装置への操作に応じてユーザ設定される。
【００１１】
第４の発明は、上記第１の発明において、車両情報取得部が取得する車両情報は、少なくとも車両の現在位置を示す情報を含む。第１の最高速度は、車両の使用環境に応じて走行使用される車速範囲に基づいて設定される。第２の最高速度は、車両の現在位置上の道路または車両の現在位置を含む地域に設定された制限速度に設定される。
【００１２】
第５の発明は、上記第１の発明において、表示部は、少なくとも車速表示範囲を表示する表示画面領域が無電力状態で表示内容を保持可能な表示媒体で構成される。
【００１３】
第６の発明は、上記第５の発明において、表示制御部は、車両のイグニッションスイッチがオン状態であることを車両情報が示すときに第１の最高速度までを車速表示範囲とした画像を表示媒体で構成される領域に表示し、当該イグニッションスイッチがオンからオフ状態となったことを車両情報が示すときに第２の最高速度までを車速表示範囲とした画像を表示媒体で構成される領域に表示する。
【００１４】
第７の発明は、上記第１の発明において、車両情報取得部が取得する車両情報は、車両の車速を示す車速情報、車両のパーキングブレーキの状態を示すパーキングブレーキ情報、車両の変速装置のシフト位置を示す変速シフト位置情報、および車両のイグニッションスイッチの状態を示すイグニッションスイッチ情報から成る群から選ばれる少なくとも１つを含む。表示制御部は、車両の車速が０であることを車速情報が示すとき、車両のパーキングブレーキが働いていることをパーキングブレーキ情報が示すとき、シフトレンジ位置がパーキングレンジであることを変速シフト位置情報が示すとき、またはイグニッションスイッチがオフされたことをイグニッションスイッチ情報が示すとき、当該車両が停車していると判断する。
【発明の効果】
【００１５】
上記第１の発明によれば、走行時に表示されるアナログメータの速度域と、車両停車時に表示されるアナログメータの速度域とが異なるアナログメータを表示にすることができる。例えば、車両停車時に表示されるアナログメータの速度域の最高速度を意味がある速度表示にすることによって、ユーザに情報を提示することができる。
【００１６】
上記第２の発明によれば、車両停止時に車両の実際の車両能力によって走行可能な最高速度が車速表示範囲の最高値として表示される。したがって、ユーザや他の乗員に対して
、実際の車両能力をアナログメータ表示によってアピールすることができる。一方、車両が停車していない時には、車両の使用環境に適した速度域をアナログメータに表示するので、車両走行時の安全性を維持しながら法規適合性等の満たすことができる。
【００１７】
上記第３の発明によれば、車両停止時にユーザが任意に設定した最高速度が車速表示範囲の最高値として表示される。例えば、ユーザは、実際には走行不可能な車速まであたかも走行可能であるような車速表示範囲を有するアナログメータを表示することも可能である。これによって、ユーザは、現実にはあり得ない現象を車速表示範囲で提示することにより、他の乗員に対して見栄を張って楽しむような遊び心のある車両用計器を実現することができる。一方、車両が停車していない時には、車両の使用環境に適した速度域をアナログメータに表示するので、車両走行時の安全性を維持しながら法規適合性等の満たすことができる。
【００１８】
上記第４の発明によれば、車両停止時にアナログメータの車速表示範囲によってこれから走行する道路や地域に設定されている制限速度を知ることができ、これからの走行に対する注意喚起が可能となる。一方、車両が停車していない時には、車両の使用環境に適した速度域をアナログメータに表示するので、車両走行時の安全性を維持しながら法規適合性等の満たすことができる。
【００１９】
上記第５の発明によれば、イグニッションスイッチがオフされた車両駐車状態においても、無電力で第２の最高速度までを車速表示範囲としたアナログメータを表示することができる。
【００２０】
上記第６の発明によれば、車速表示範囲を示す画像を書き換える回数が少ないため、電子ペーパのような書換寿命に制限のある表示媒体を用いることができる。
【００２１】
上記第７の発明によれば、車速情報、パーキングブレーキ情報、変速シフト位置情報、およびイグニッションスイッチ情報から少なくとも１つの情報を用いることによって、車両の停車を適切に判断することができる。
【発明を実施するための最良の形態】
【００２２】
（第１の実施形態）
以下、図１および図２を参照して、本発明の第１の実施形態に係る車両用計器について説明する。典型的には、当該車両用計器は、車両等の室内に設置され、説明を具体的にするために、自動車の車室内に設けられた車両用計器を用いる。なお、図１は、当該車両用計器が自動車の車室内に設けられた一例を示す図である。図２は、当該車両用計器の構成を示すブロック図である。
【００２３】
図１において、車両用計器は、車両の車室内に設置され当該車両の運転者から視認可能な位置に表示画面を備えている。車両用計器は、一例として、上記車両の運転者から視認可能なインジケータパネル内に設けられた表示画面として、運転席用表示部１を備えている。
【００２４】
運転席用表示部１は、車両の運転席に着席して当該車両を運転する運転者から視認可能な位置に設けられる表示装置である。例えば、運転席用表示部１は、運転席前面の計器盤（インスツルメントパネル）に設けられたメータで構成される。例えば、運転席用表示部１は、主要ないくつかの計器、表示灯、および警告灯等を１つのパネル内に組み合わせて配置したコンビネーションメータを模した画像が表示される。なお、当該実施形態においては、運転席用表示部１には現在車速を示すアナログメータが表示されるが、それらの表示制御は、表示制御部２（図２参照）によって行われる。また、アナログメータは、後述
するアナログメータ動作制御部３が指針を回転させ、当該指針が現在速度を示す目盛を指し示すことによって、現在車速を報知する。
【００２５】
なお、運転席用表示部１は、運転者が視認可能な位置に設けられて上記アナログメータを表示する表示装置であれば、運転席と助手席との中間に設けられたディスプレイ等、他の位置に設けられた表示装置で構成してもかまわない。
【００２６】
図２において、上記車両用計器は、上述した指針１１を含む運転席用表示部１の他に、表示制御部２およびアナログメータ動作制御部３を備えている。表示制御部２は、車両の車室内に設置された一般的なコンピュータシステム等で構成される。アナログメータ動作制御部３は、指針１１を回転させる駆動装置（例えば、モータ）単独、または当該駆動装置と当該駆動装置の駆動を制御する一般的なコンピュータシステム等とによって構成される。
【００２７】
表示制御部２は、車両用計器が搭載される車両の情報（以下、単に車両情報と記載する；本実施形態においては車両のイグニッションスイッチＯＮ／ＯＦＦ情報）に応じて、運転席用表示部１に表示する画像を選択して、運転席用表示部１の表示制御を行う。具体的には、表示制御部２は、車両情報に応じて、アナログメータの指針１１で指し示される目盛が表示された車速域（以下、車速表示範囲と記載する）を示すメータ画像を選択し、当該メータ画像を運転席用表示部１に表示する。なお、表示制御部２は、上記メータ画像の他に、車両情報に基づいた各種画像（警告灯等）を運転席用表示部１に表示するが、ここでは詳細な説明を省略する。
【００２８】
アナログメータ動作制御部３は、車両用計器が搭載される車両の車速センサ等から出力される車速情報に応じて、指針１１を回転駆動させる。例えば、アナログメータ動作制御部３は、上記車速情報が示す車速に応じて、上記メータ画像で表示された車速表示範囲内の当該車速の位置を指し示すように指針１１を回転駆動させる。
【００２９】
次に、図３および図４を参照して、運転席用表示部１に表示するメータ画像ＭＩの一例について説明する。なお、図３は、車両走行用のメータ画像ＭＩｒが運転席用表示部１に表示された一例を示す図である。図４は、車両の実際の車両能力によって走行可能な最高速度を車速表示範囲の最高値としたメータ画像ＭＩｓが運転席用表示部１に表示された一例を示す図である。
【００３０】
図３において、運転席用表示部１には、車両走行用のメータ画像ＭＩｒが表示されている。メータ画像ＭＩｒは、車両の使用環境に応じて走行使用される車速範囲に基づいて設定され、例えば国内法規等を考慮して設定された車速表示範囲が表示される。一例として、図３に示すメータ画像ＭＩｒは、日本国内法規を考慮して、０〜１８０ｋｍ／ｈを車速表示範囲とする目盛が放射状に表示されている。そして、運転席用表示部１には、上記放射状の目盛における放射中心付近に、指針１１が配設される。指針１１は、上記放射中心を回転軸として回転駆動することによって、メータ画像ＭＩｒに表示される車速表示範囲内の何れか１点を指し示すことができる。車両の運転者は、指針１１が指し示す車速表示範囲内の目盛を読むことによって、現在車速を知ることができる。なお、メータ画像ＭＩｒは車両の走行中等に運転席用表示部１に表示されるが、メータ画像ＭＩｒが表示される条件等については後述する。
【００３１】
図４において、運転席用表示部１には、メータ画像ＭＩｒに代わってメータ画像ＭＩｓが表示されている。メータ画像ＭＩｓは、ユーザにとって何らかの意味がある車速を最高速度とした車速表示範囲が表示される。例えば、図４に示すメータ画像ＭＩｓは、車両用計器が搭載される車両の実際の車両能力によって走行可能な最高速度が、車速表示範囲の
最高値に設定されている。具体的には、メータ画像ＭＩｓは、実際の車両能力として走行可能な最高速度が３００ｋｍ／ｈである場合、０〜３００ｋｍ／ｈを車速表示範囲とする目盛が放射状に表示される。そして、メータ画像ＭＩｒと同様に、メータ画像ＭＩｓの放射状の目盛における放射中心付近に、指針１１が配設される。なお、メータ画像ＭＩｒおよびメータ画像ＭＩｓは、後述する所定の条件に応じて表示が切り替えられる画像である。
【００３２】
次に、図５Ａおよび図５Ｂを参照して、第１の実施形態に係る車両用計器の運転席用表示部１の装置構成について説明する。運転席用表示部１の少なくとも１部の表示画面は、運転席用表示部１自体に電力が供給されなくても表示内容を保持可能な表示媒体（例えば、電子ペーパ）で構成される。なお、図５Ａおよび図５Ｂは、上記表示媒体の画素内部の様子を示す図である。
【００３３】
ここで、上記表示媒体は、運転席用表示部１の表示画面のうち、メータ画像ＭＩｒおよびメータ画像ＭＩｓを表示する領域に用いられる。なお、上記表示媒体は、運転席用表示部１の表示画面全面に用いられてもいいし、メータ画像ＭＩｒおよびメータ画像ＭＩｓを表示する領域のみに用いられてもかまわない。
【００３４】
上記表示媒体は、その表示画面に表示する表示内容を書き換えるときにのみ電力を必要とするが、電力が供給されなくても表示内容を保持可能である。したがって、車両のイグニッションスイッチがＯＦＦされて電力供給が停止されても、上記表示媒体に表示された表示内容が保持される。例えば、第１の実施形態においては、車両のイグニッションスイッチがＯＮ状態の期間は、上記表示媒体にメータ画像ＭＩｒが書き込まれる。そして、イグニッションスイッチがＯＦＦされた時点で、上記表示媒体にメータ画像ＭＩｓが書き込まれる。したがって、上記表示媒体は、イグニッションスイッチがＯＦＦになった時点でメータ画像ＭＩｓが書き込まれるときに一時的に電力を消費するが、その後は電力を消費することなく、メータ画像ＭＩｓを表示し続ける。
【００３５】
一例として、上記表示媒体は、各画素が隔壁で仕切られた透明基板と対向基板との間に、負帯電粒子および正帯電粒子を封入した構造を有する。図５Ａは、図示上側面に黒色を表示する上記表示媒体の画素内部の様子を示す図である。また、図５Ｂは、図示上側面に白色を表示する上記表示媒体の画素内部の様子を示す図である。
【００３６】
図５Ａおよび図５Ｂにおいて、上記表示媒体は、透明基板１２、対向基板１３、隔壁１４、表示電極（透明電極）１５、および対向電極１６を備えている。上記表示媒体は、各画素の間が隔壁１４で仕切られており、透明基板１２と対向基板１３との間に負帯電粒子１７および正帯電粒子１８が封入される。
【００３７】
図５Ａに示すように、上記表示媒体のある画素において、表示電極１５側が低電位となり、対向電極１６側が高電位となるように電圧を印加する。これによって、表示電極１５と対向電極１６との間にクーロン力が作用し、正帯電粒子１８は表示電極１５側に飛翔移動し、負帯電粒子１７は対向電極１６側に飛翔移動する。この結果、透明基板１２側から表示媒体を見たとき、当該画素が正帯電粒子１８の色（ここでは一例として黒色）に見える。
【００３８】
一方、図５Ｂに示すように、上記表示媒体のある画素において、表示電極１５側が高電位となり、対向電極１６側が低電位となるように電圧を印加する。これによって、表示電極１５と対向電極１６との間に逆のクーロン力が作用し、負帯電粒子１７は表示電極１５側に飛翔移動し、正帯電粒子１８は対向電極１６側に飛翔移動する。この結果、透明基板１２側から表示媒体を見たとき、当該画素が負帯電粒子１７の色（ここでは一例として白
色）に見える。
【００３９】
このように、上記表示媒体のそれぞれの画素に印加される電界の方向を反転することによって、各画素において可逆的に色を変化させることができる。このような表示素子（すなわち、負帯電粒子１７および正帯電粒子１８）は、表示媒体への電圧の印加を停止した後も各粒子が鏡像力により電極に貼り付いた状態となるので、表示内容が長期に保持される。
【００４０】
なお、本発明は、図５Ａおよび図５Ｂに示した表示媒体に限らず、電力が供給されなくても表示内容を保持可能な任意の表示媒体が利用可能である。例えば、運転席用表示部１の表示画面表面に、運転席用表示部１の表示オフ時に視認可能な固定的な画像を貼り付ける。そして、運転席用表示部１の表示オン時は、上記貼り付け画像を透過して別の表示画像が視認可能となる。つまり、運転席用表示部１の表示オン時は、上記貼り付け画像がユーザからは見えない状態となる。このような表示媒体の場合、電力が供給されていない状態で固定的な表示内容が表示可能となる。
【００４１】
次に、図６を参照して、車両用計器の具体的な動作について説明する。なお、図６は、第１の実施形態に係る車両用計器の動作の一例を示すフローチャートである。例えば、図６に示すフローチャートの各ステップは、表示制御部２やアナログメータ動作制御部３が所定のプログラムを実行することによって行われる。なお、これらのステップを実行するためのプログラムは、例えば、車両用計器の内部または外部に設けられた記憶領域（例えば、メモリ、ハードディスク、光ディスク等）に予め格納されており、車両用計器の電源がオンになったときに、表示制御部２やアナログメータ動作制御部３によって実行される。
【００４２】
まず、車両用計器の電源（図示せず）がＯＮされると、表示制御部２およびアナログメータ動作制御部３が上記記憶領域に格納されたプログラムを実行する。そして、表示制御部２およびアナログメータ動作制御部３は、上記プログラムに基づいて、図６に示す各ステップを実行する。
【００４３】
図６において、表示制御部２は、車両用計器が搭載される車両から取得した車両情報に基づいて、イグニッションスイッチがＯＦＦされたか否かを判断する（ステップＳ５１）。そして、表示制御部２は、イグニッションスイッチがＯＮである場合、次のステップＳ５２に処理を進める。一方、表示制御部２は、イグニッションスイッチがＯＮからＯＦＦに変化した場合、次のステップＳ５５に処理を進める。
【００４４】
ステップＳ５２において、表示制御部２は、車両走行用のメータ画像ＭＩｒを選択して運転席用表示部１に表示し、処理を次のステップに進める。上述したように、メータ画像ＭＩｒは、車両が使用される環境を考慮して設定された車速表示範囲がアナログメータの速度域として表示される画像である（図３参照）。つまり、当該実施形態においては、イグニッションスイッチがＯＮ状態で、車両が使用される環境を考慮して設定された車速表示範囲が運転席用表示部１に表示されることになる。
【００４５】
次に、アナログメータ動作制御部３は、車両用計器が搭載される車両の車速センサ等から車速情報を取得する（ステップＳ５３）。そして、アナログメータ動作制御部３は、車速情報に応じて、指針１１を回転駆動させ（ステップＳ５４）、上記ステップＳ５１に戻って処理を繰り返す。例えば、アナログメータ動作制御部３は、上記車速情報が示す車速に応じて、上記メータ画像ＭＩｒで表示された車速表示範囲内の当該車速の位置を指し示すように指針１１を回転駆動させる。
【００４６】
一方、上記ステップＳ５１において、イグニッションスイッチがＯＮからＯＦＦに変化したと判断された場合、表示制御部２は、車両の実際の車両能力等を示すメータ画像ＭＩｓを選択して運転席用表示部１に表示し、当該フローチャートによる処理を終了する。ここで、車両用計器の電源（より具体的には、表示制御部２および運転席用表示部１の上記表示媒体の電源）は、イグニッションスイッチがＯＦＦされた直後、電力が所定時間だけ供給された後に電力遮断される。上述したように、メータ画像ＭＩｓは、ユーザにとって何らかの意味がある車速を最高速度とした車速表示範囲が表示される画像であり、例えば車両の実際の車両能力によって走行可能な最高速度を車速表示範囲の最高値としている（図４参照）。そして、メータ画像ＭＩｓは、イグニッションスイッチがＯＦＦされた直後に上記表示媒体に表示される。つまり、当該実施形態においては、イグニッションスイッチがＯＦＦ状態で、ユーザにとって何らかの意味がある車速を最高速度とした車速表示範囲が運転席用表示部１に表示されることになる。
【００４７】
このように、第１の実施形態に係る車両用計器によれば、イグニッションスイッチがＯＮ状態でメータ画像ＭＩｒが表示され、イグニッションスイッチがＯＦＦ状態でメータ画像ＭＩｓが表示される。したがって、運転席用表示部１には、車両走行時等に車両が使用される環境を考慮して設定された車速表示範囲が表示され、車両が走行することのない状態ではユーザにとって何らかの意味がある車速を最高速度とした車速表示範囲が表示される。このように、本実施形態に係る車両用計器は、車速表示範囲の最高速度を意味がある速度表示にすることによって、ユーザに情報を提示することができる。例えば、車両の実際の車両能力によって走行可能な最高速度を車速表示範囲の最高値にして表示する場合、ユーザや他の乗員に対してイグニッションスイッチがＯＦＦ状態で実際の車両能力をアピールすることができる。一方、車両走行時には、車両の使用環境に適した速度域をアナログメータに表示するので、車両走行時の安全性を維持しながら法規適合性等の満たすことができる。
【００４８】
また、上述した第１の実施形態に係る車両用計器によれば、メータ画像ＭＩｒとメータ画像ＭＩｓとの表示切替が、イグニッションスイッチのＯＮ／ＯＦＦ時のみ行われる。つまり、メータ画像を書き換える回数が少ないため、電子ペーパのような書換寿命に制限のある表示媒体も用いることができる。
【００４９】
（第２の実施形態）
上述した第１の実施形態に係る車両用計器では、車両のイグニッションスイッチのＯＮ／ＯＦＦに応じて、運転席用表示部１におけるメータ画像ＭＩｒおよびＭＩｓの表示が切り替わる態様を説明した。第１の実施形態とは異なる態様として、他の車両情報に応じてメータ画像ＭＩｒおよびＭＩｓの表示が切り替わる車両用計器を第２の実施形態として説明する。
【００５０】
第２の実施形態に係る車両用計器は、第１の実施形態に対してフローチャートのみ異なり、他の構成要素等は図１〜図５を用いて説明した第１の実施形態と同様の構成で実現可能である。
【００５１】
ここで、第１の実施形態における運転席用表示部１の少なくとも１部の表示画面は、運転席用表示部１自体に電力が供給されなくても表示内容を保持可能な表示媒体で構成される。しかしながら、第２の実施形態においては、イグニッションスイッチＯＦＦ状態（つまり、運転席用表示部１が無電力状態）において、運転席用表示部１にメータ画像ＭＩｓの表示を保持することを期待しない場合、運転席用表示部１を上記表示媒体で構成されなくてもかまわない。この場合、運転席用表示部１は、メータ画像ＭＩｒおよびＭＩｓの表示切り替えが可能な表示領域が形成されていれば、様々な表示手段を用いることができる。例えば、運転席用表示部１は、第１の実施例における構成の他に、液晶パネル、陰極線
管（ＣＲＴ）、発光素子や冷陰極管から照射して表示する装置等によって構成することができる。そして、これらの表示装置は、運転席用表示部１の表示画面のうち、メータ画像ＭＩｒおよびメータ画像ＭＩｓを表示する領域に用いられればよく、運転席用表示部１の表示画面全面に用いられてもいいし、メータ画像ＭＩｒおよびメータ画像ＭＩｓを表示する領域のみに用いられてもかまわない。なお、第２の実施形態に係る車両用計器の説明においては、第１の実施形態と同様の構成要素には同一の参照符号を付して、詳細な説明を省略する。
【００５２】
図７を参照して、第２の実施形態に係る車両用計器の具体的な動作について説明する。なお、図７は、表示制御部２およびアナログメータ動作制御部３が処理を行う動作の一例を示すフローチャートである。例えば、図７に示すフローチャートの各ステップは、表示制御部２およびアナログメータ動作制御部３が所定のプログラムを実行することによって行われる。なお、これらの処理を実行するためのプログラムも、例えば、表示制御部２やアナログメータ動作制御部３に設けられた記憶領域に予め格納されており、車両用計器の電源がオンになったときに表示制御部２やアナログメータ動作制御部３によって実行される。
【００５３】
まず、車両用計器の電源（図示せず）がＯＮされると、表示制御部２やアナログメータ動作制御部３が上記記憶領域に格納されたプログラムを実行する。そして、表示制御部２やアナログメータ動作制御部３は、上記プログラムに基づいて、図７に示す各ステップを実行する。
【００５４】
図７において、表示制御部２は、車両用計器が搭載される車両から車両情報を取得する（ステップＳ６１）。次に、表示制御部２は、車両が停車状態か否かを判断する（ステップＳ６２）。例えば、表示制御部２は、上記車両情報に含まれる車速情報、パーキングブレーキ情報、変速シフト位置情報、およびイグニッションスイッチ情報等を取得する。そして、表示制御部２は、これらの情報の少なくとも１つを用いて車両が停車状態であるか否かを判断する。具体的には、車両の車速０ｋｍ／ｈであることを車速情報が示す場合、車両のパーキングブレーキが働いていることをパーキングブレーキ情報が示す場合、オートマチックトランスミッションのシフトレンジ位置がＰ（パーキング）レンジであることを変速シフト位置情報が示す場合、イグニッションスイッチがＯＦＦであることをイグニッションスイッチ情報が示す場合等では、表示制御部２は車両が停車状態であると判断する。そして、表示制御部２は、車両が走行中等の停車状態でない場合、次のステップＳ６３に処理を進める。一方、表示制御部２は、車両が停車中である場合、次のステップＳ６６に処理を進める。
【００５５】
ステップＳ６３において、表示制御部２は、車両走行用のメータ画像ＭＩｒを選択して運転席用表示部１に表示する。次に、アナログメータ動作制御部３は、車両の車速センサ等から車速情報を取得し（ステップＳ６４）、車速情報に応じて、指針１１を回転駆動させ（ステップＳ６５）、次のステップＳ６７に処理を進める。なお、これらステップＳ６３〜ステップＳ６５の処理は、上述したステップＳ５２〜ステップＳ５４の処理を同様であるため、詳細な説明を省略する。
【００５６】
一方、上記ステップＳ６２において、車両が停車中であると判断された場合、表示制御部２は、車両の実際の車両能力等を示すメータ画像ＭＩｓを選択して運転席用表示部１に表示し、次のステップＳ６７に処理を進める。上記ステップＳ６２においては、車両のエンジンが作動している状態であっても車両が停車中であれば、ユーザにとって何らかの意味がある車速を最高速度とした車速表示範囲が運転席用表示部１に表示されることになる。
【００５７】
ステップＳ６７において、表示制御部２は、運転席用表示部１への表示を終了するか否かを判断する。例えば、表示を終了する条件としては、車両用計器の電源がＯＦＦされたとき等がある。そして、表示制御部２は、運転席用表示部１への表示を継続する場合、上記ステップＳ６１に戻って処理を繰り返す。一方、表示制御部２は、表示を終了する場合、当該フローチャートによる処理を終了する。
【００５８】
このように、第２の実施形態に係る車両用計器によれば、車両が走行している状態でメータ画像ＭＩｒが表示され、車両が停車している状態でメータ画像ＭＩｓが表示される。したがって、運転席用表示部１には、車両走行時に車両が使用される環境を考慮して設定された車速表示範囲が表示され、車両が停止している状態ではユーザにとって何らかの意味がある車速を最高速度とした車速表示範囲が表示される。このように、本実施形態に係る車両用計器は、車速表示範囲の最高速度を意味がある速度表示にすることによって、ユーザに情報を提示することができる。例えば、車両の実際の車両能力によって走行可能な最高速度を車速表示範囲の最高値にして表示する場合、ユーザや他の乗員に対して停車中に実際の車両能力をアピールすることができる。一方、車両走行時には、車両の使用環境に適した速度域をアナログメータに表示するので、車両走行時の安全性を維持しながら法規適合性等の満たすことができる。
【００５９】
なお、上述した第１および第２の実施形態では、メータ画像ＭＩｓとして車両の実際の車両能力によって走行可能な最高速度を車速表示範囲の最高値にして表示する一例を用いたが、他の画像でもかまわない。
【００６０】
メータ画像ＭＩｓの第１の変形例は、ユーザの好みの最高速度を車速表示範囲の最高値にして表示する。なお、上記メータ画像ＭＩｓの第１の変形例を実現する場合、ユーザの操作に応じて入力情報を受け付ける入力装置が車両用計器に接続される。そして、表示制御部２は、上記入力情報に応じたメータ画像ＭＩｓを予め生成しておき、停車時等に運転席用表示部１に表示する。これは、車両の実際の車両能力によって走行可能な最高速度を最高値にすることに限定されない。例えば、車両が実際には走行不可能な車速を、ユーザが最高値に設定した車速表示範囲を示すメータ画像ＭＩｓが作成される。つまり、ユーザは、実際には走行不可能な車速まであたかも走行可能であるような車速表示範囲を有するアナログメータを、他の乗員に示すことが可能となる。これによって、ユーザは、現実にはあり得ない現象を車速表示範囲で提示することにより、他の乗員に対して見栄を張って楽しむような遊び心のある車両用計器となる。
【００６１】
メータ画像ＭＩｓの第２の変形例は、車両の現在位置に応じた最高速度を車速表示範囲の最高値にして表示する。一例として、車両が停車中の現在位置を基準として、当該現在位置上の道路に設定されている制限速度を車速表示範囲の最高値にした車速表示範囲をメータ画像ＭＩｓとする。このメータ画像ＭＩｓが停車中に表示されることによって、ユーザはこれから走行する道路に設定されている制限速度を知ることができ、これからの走行に対する注意喚起が可能となる。他の例として、車両が停車中の現在位置を基準として、当該現在位置が属する国の法令等に設定されている制限速度（例えば、法定最高速度）を車速表示範囲の最高値にした車速表示範囲をメータ画像ＭＩｓとする。例えば、ドイツ等のアウトバーンでは制限速度が無制限であることが知られているが、他の欧州の国では制限速度が設定されている。このような国の制度による制限速度の違いを、ユーザがメータ画像ＭＩｓを見ることによって知ることができ、これからの走行に対する注意喚起が可能となる。
【００６２】
なお、上記メータ画像ＭＩｓの第２の変形例を実現する場合、車両用計器に車両の現在位置を取得する手段または制限速度情報を直接取得する手段を付加する必要がある。例えば、車両用計器は、経路探索や経路案内等を行うカーナビゲーション装置と連係して、上
記現在位置または制限速度情報を取得する。
【００６３】
例えば、上記カーナビゲーション装置は、一般的に車両の現在位置や方位を測位する手段（例えば、ＧＰＳ（全地球測位システム）、ＩＮＳ（慣性航法システム）、車速センサ等）を備えている。そして、上記カーナビゲーション装置は、経路案内や探索に必要な地図情報を格納する記憶媒体を有している。本発明の車両用計器と連係するカーナビゲーション装置には、地図情報に記述された道路の各区間に設定されている制限速度や、国別の制限速度等の制限速度情報も上記記憶媒体に格納しておく。なお、上記カーナビゲーション装置は、当該装置が備えている通信手段によって現在位置に応じた制限速度情報を、センター設備から適宜取得してもかまわない。
【００６４】
このようなカーナビゲーション装置と連係する場合、車両用計器が当該カーナビゲーション装置から車両の現在位置に応じた制限速度情報を取得することによって、上記第２の変形例が実現可能となる。また、カーナビゲーション装置から車両の現在位置を示す情報のみ取得する場合、車両用計器が上述した記憶媒体の地図情報および制限速度情報を参照して、当該現在位置に応じた制限速度を抽出することによって、上記第２の変形例が実現可能となる。
【００６５】
次に、図８を参照して、上記第２の変形例における車両用計器の具体的な動作について説明する。なお、図８は、当該車両用計器がカーナビゲーション装置から現在位置情報を取得する場合の動作の一例を示すフローチャートである。例えば、図８に示すフローチャートの各ステップは、表示制御部２やアナログメータ動作制御部３が所定のプログラムを実行することによって行われる。なお、これらのステップを実行するためのプログラムも、例えば、車両用計器の内部または外部に設けられた記憶領域に予め格納されており、車両用計器の電源がオンになったときに表示制御部２やアナログメータ動作制御部３によって実行される。
【００６６】
まず、車両用計器の電源（図示せず）がＯＮされると、表示制御部２やアナログメータ動作制御部３が上記記憶領域に格納されたプログラムを実行する。そして、表示制御部２およびアナログメータ動作制御部３は、上記プログラムに基づいて、図８に示す各ステップを実行する。なお、図８に示す各ステップの動作は、ステップＳ７１〜ステップＳ７５およびステップＳ７９が、上述したステップＳ６１〜ステップＳ６５およびステップＳ６７と同様であり、ステップＳ７６〜ステップＳ７８の動作のみ異なる。以下の説明においては、上述した動作と異なるステップＳ７６〜ステップＳ７８の動作について主に説明を行う。
【００６７】
ステップＳ７２において、車両が停車中であると判断された場合、表示制御部２は、上記カーナビゲーション装置から車両の現在位置情報を取得する（ステップＳ７６）。次に、表示制御部２は、取得した現在位置情報を用いて、当該現在位置情報が示す車両の現在位置に応じた制限速度情報を抽出する（ステップＳ７７）。例えば、表示制御部２は、車両用計器がアクセス可能な記憶媒体の地図情報および制限速度情報を参照して、上記現在位置に応じた制限速度を抽出する。そして、表示制御部２は、抽出された制限速度を示すメータ画像ＭＩｓを選択して運転席用表示部１に表示し、次のステップＳ７９に処理を進める。例えば、表示制御部２は、上記ステップＳ７７で抽出された制限速度を車速表示範囲の最高値にした車速表示範囲をメータ画像ＭＩｓとする。このステップＳ７７においては、車両が停車中において、ユーザはこれから走行する道路に設定されている制限速度や国の法令等で設定されている制限速度を最高速度とした車速表示範囲が運転席用表示部１に表示されることになる。
【００６８】
また、上述した第１の実施形態および第２の実施形態に係る車両用計器では、アナログ
メータの指針１１を回転駆動させることによって速度表示する態様を示したが、指針１１を画像表示して当該画像を回転移動させてもかまわない。指針１１を示す画像の表示位置および表示角度を車速に応じて設定すれば、上述した実施形態と同様に本発明を実施できることは言うまでもない。
【００６９】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００７０】
本発明に係る車両用計器は、車速表示範囲の最高速度を意味がある速度表示にすることができ、車両等に搭載する計器等の用途に適用できる。
【図面の簡単な説明】
【００７１】
【図１】本発明の車両用計器の一例が自動車の車室内に設けられた一例を示す図
【図２】本発明の車両用計器の構成の一例を示すブロック図
【図３】車両走行用のメータ画像ＭＩｒが運転席用表示部１に表示された一例を示す図
【図４】車両の実際の車両能力によって走行可能な最高速度を車速表示範囲の最高値としたメータ画像ＭＩｓが運転席用表示部１に表示された一例を示す図
【図５Ａ】図２の運転席用表示部１を構成する表示媒体において、表示電極１５側が低電位となった画素内部の様子を示す図
【図５Ｂ】図２の運転席用表示部１を構成する表示媒体において、表示電極１５側が高電位となった画素内部の様子を示す図
【図６】本発明の第１の実施形態に係る車両用計器の動作の一例を示すフローチャート
【図７】本発明の第２の実施形態に係る車両用計器の動作の一例を示すフローチャート
【図８】本発明の第２の変形例に係る車両用計器の動作の一例を示すフローチャート
【符号の説明】
【００７２】
１…運転席用表示部
１１…指針
１２…透明基板
１３…対向基板
１４…隔壁
１５…表示電極
１６…対向電極
１７…負帯電粒子
１８…正帯電粒子
２…表示制御部
３…アナログメータ動作制御部
【図１】
2008241275.tif 000003
【図２】
2008241275.tif 000004
【図３】
2008241275.tif 000005
【図４】
2008241275.tif 000006
【図５Ａ】
2008241275.tif 000007
【図５Ｂ】
2008241275.tif 000008
【図６】
2008241275.tif 000009
【図７】
2008241275.tif 000010
【図８】
2008241275.tif 000011